(57)【特許請求の範囲】
【請求項１】
内容物が収容される容器本体の口部に装着される装着筒と、
前記装着筒内に着脱自在に嵌合されると共に、内部と前記容器本体内とを連通可能な吸込口が形成された充填筒と、
前記充填筒内に液密状態で上下摺動自在に嵌合されたプランジャと、
前記プランジャを前記充填筒に対して上方に付勢する付勢部材と、を備え、
前記充填筒が、前記装着筒内に、前記装着筒から上方に突出した状態で、下降移動自在に装着され、
前記プランジャが、径方向に弾性変形自在に形成された係合片部を有し、
前記充填筒のうち前記装着筒から上方に突出した部分には、前記係合片部が前記充填筒における径方向内側から外側に向けて挿通されて係合する係合窓部が形成されており、
前記係合片部が、前記充填筒の押し込みにしたがって前記装着筒の上端縁に当接することによって径方向内側に変位可能であることを特徴とする吐出器。
【請求項２】
前記充填筒の内周面には、前記プランジャが該充填筒に対して上昇端位置に到達したときに前記プランジャと係合してそれ以上の上昇を規制する規制部が設けられていることを特徴とする請求項１に記載の吐出器。
【請求項３】
前記装着筒の下端が、前記充填筒の前記吸込口よりも下方に位置し、
前記装着筒のうち前記吸込口よりも下方に位置する部分には、弁座が形成され、
前記装着筒内には、前記弁座に離間自在に配置された弁体が着座され、
前記充填筒の下端部内の空間と、前記充填筒の下端部の外周面と前記装着筒の内周面との間の空間と、が前記吸込口を通して連通していることを特徴とする請求項１または２に記載の吐出器。
【請求項４】
前記充填筒のうち前記係合窓部の上方に位置する部分には、径方向の外側に向けて押下突部が設けられていることを特徴とする請求項１から３のいずれか１項に記載の吐出器。
【発明の詳細な説明】
【技術分野】
【０００１】
本発明は、吐出器に関するものである。
【背景技術】
【０００２】
この種の吐出器として、従来、内容物が収容される容器体の口部に装着される鞘管と、鞘管に着脱自在に嵌合される摺動筒と、外側に摺動筒が液密状態で上下摺動自在に嵌合され、内部と容器体とを連通可能な口部が形成された口筒と、を備える吐出器が提案されている（例えば、特許文献１参照）。
【０００３】
この吐出器では、摺動筒を口筒に対して下降移動させることによって摺動筒の内圧を負圧にし、口筒の口部及び口部の内部と摺動筒の内部とを連通させる通液孔を通して摺動筒内に内容物を吸い込む。そして、摺動筒内の内容物は、摺動筒及び口筒を鞘管から離脱させた後に、摺動筒を口筒に対して上昇移動させることによって、口筒の口部及び通液孔を通して口部から吐出される。
【先行技術文献】
【特許文献】
【０００４】
【特許文献１】特開平１０−７２０５０号公報
【発明の概要】
【発明が解決しようとする課題】
【０００５】
しかしながら、従来の吐出器では、内容物の吸い込みを行うために、摺動筒を口筒に対して手動で上下動させる必要がある。
【０００６】
本発明は、前述の課題に鑑みてなされたもので、操作性を向上させた吐出器を提供することを目的とする。
【課題を解決するための手段】
【０００７】
本発明は、上記のような課題を解決するために以下のような手段を採用した。すなわち、本発明の吐出器は、内容物が収容される容器本体の口部に装着される装着筒と、前記装着筒内に着脱自在に嵌合されると共に、内部と前記容器本体内とを連通可能な吸込口が形成された充填筒と、前記充填筒内に液密状態で上下摺動自在に嵌合されたプランジャと、前記プランジャを前記充填筒に対して上方に付勢する付勢部材と、を備え、前記充填筒が、前記装着筒内に、前記装着筒から上方に突出した状態で、下降移動自在に装着され、前記プランジャが、径方向に弾性変形自在に形成された係合片部を有し、前記充填筒のうち前記装着筒から上方に突出した部分には、前記係合片部が前記充填筒における径方向内側から外側に向けて挿通されて係合する係合窓部が形成されており、前記係合片部が、前記充填筒の押し込みにしたがって前記装着筒の上端縁に当接することによって径方向内側に変位可能であることを特徴とする。
【０００８】
この発明では、充填筒を装着筒に対して押し下げると、充填筒の係合窓部の開口縁に係合片部が係合しているので、充填筒と共にプランジャが押し下げられる。この際、係合片部のうち係合窓部から充填筒の外側に突出している部分が、装着筒の上端縁によって径方向内側に押し込められ、係合片部と係合窓部の開口縁との係合が解除される。これにより、プランジャに付与されている付勢部材の上方付勢力によって、プランジャが充填筒に対して上昇し、充填筒の内容積が増大する。そして、充填筒の内圧が負圧になることによって、容器本体内の内容物が充填筒の吸込口を通って充填筒の内部に吸い込まれる。その後、充填筒をプランジャと共に装着筒から離脱させた後に、プランジャを充填筒の内部に向けて押し込み、充填筒内に吸い込まれた内容物を吸込口から吐出させる。
このように、充填筒を装着筒に対して押し下げるだけで、プランジャも充填筒と共に押し下げられ、係合片部と係合窓部の開口縁との係合が解除して充填筒の内部に内容物が吸い込まれるので、内容物を吸い込むためにプランジャを手動で上下動させる必要がなくなり、吐出器の操作性が向上する。
【０００９】
また、本発明の吐出器では、前記充填筒の内周面には、前記プランジャが該充填筒に対して上昇端位置に到達したときに前記プランジャと係合してそれ以上の上昇を規制する規制部が設けられてもよい。
この場合では、係合片部の係合窓部の開口縁に対する係合が解除され、プランジャが付勢部材によって充填筒に対して上昇して上昇端位置に到達したときに、プランジャが規制部に係合してプランジャのそれ以上の上昇が規制されるので、プランジャの上昇移動量を制御することができ、充填筒内に定量の内容物を精度良く充填することができる。
【００１０】
また、本発明の吐出器では、前記装着筒の下端が、前記充填筒の前記吸込口よりも下方に位置し、前記装着筒のうち前記吸込口よりも下方に位置する部分には、弁座が形成され、前記装着筒内には、前記弁座に離間自在に配置された弁体が着座され、前記充填筒の下端部内の空間と、前記充填筒の下端部の外周面と前記装着筒の内周面との間の空間と、が前記吸込口を通して連通してもよい。
この発明では、充填筒内の内容物を吐出した後で、この充填筒を装着筒内に嵌合して装着するときに、装着筒の内部のうち、弁体よりも上方で充填筒の下端部が位置する部分の内圧が過度に高くなることを抑制できる。これにより、充填筒の装着が容易になる。
【００１１】
また、本発明の吐出器では、前記充填筒のうち前記係合窓部の上方に位置する部分には、径方向の外側に向けて押下突部が設けられてもよい。
この発明では、押下突部を下方に向けて押し下げることで充填筒及びプランジャが押し下げられるので、吐出器の操作性がさらに向上する。
【発明の効果】
【００１２】
この発明にかかる吐出器によれば、充填筒を装着筒に対して押し下げることによって、プランジャが充填筒と共に装着筒内に押し込まれ、係合片部と係合窓部の開口縁との係合が解除し、プランジャが充填筒に対して上昇して充填筒の内部に内容物が吸い込まれるので、内容物を吸い込むためにプランジャを手動で上下動させる必要がなくなり、吐出器の操作性が向上する。
【図面の簡単な説明】
【００１３】
【図１】本発明の一実施形態における吐出器を示す軸方向断面図である。
【図２】図１の装着筒及び充填筒を示す部分拡大図である。
【図３】図１の吐出器の使用方法を説明する軸方向断面図である。
【図４】図１の吐出器の使用方法を説明する軸方向断面図である。
【図５】図４の部分拡大図である。
【図６】図１の吐出器の使用方法を説明する軸方向断面図である。
【発明を実施するための形態】
【００１４】
以下、本発明における吐出器の一実施形態を、図面に基づいて説明する。なお、以下の説明に用いる各図面では、各部材を認識可能な大きさとするために縮尺を適宜変更している。
【００１５】
本実施形態における吐出器１は、図１に示すように、内容物が収容される容器本体２の口部３に装着される円筒状の装着筒１１と、装着筒１１内に着脱自在に嵌合される円筒状の充填筒１２と、充填筒１２内に液密状態で上下摺動自在に嵌合されたプランジャ１３と、プランジャ１３を充填筒１２に対して上方に付勢する付勢部材１４と、を備える。
容器本体２内に収容される内容物は、例えば液体石鹸や液体洗剤、液体シャンプー、液体リンス、液体トリートメントなど比較的粘性が高い液体であるが、これに限られない。
これら装着筒１１及び充填筒１２は、それぞれの中心軸線が共通軸上に位置する状態で配設されている。以下、この共通軸を中心軸Ｏと称し、中心軸Ｏに直交する方向を径方向とし、中心軸Ｏ回りの方向を周方向と称する。
【００１６】
装着筒１１は、図１に示すように、中央に円形の開口部が形成された平面視で円環状をなす天壁部２１と、天壁部２１の外周縁から下方に向けて延設された外筒部２２と、天壁部２１の内周縁から上下両方向に向けて延設された内筒部２３と、を有する。これら外筒部２２及び内筒部２３は、中心軸Ｏと同軸に配設されている。
外筒部２２の内周面には、容器本体２の口部３の外周面に形成された雄ネジ部に螺合する雌ネジ部が形成されている。
【００１７】
内筒部２３は、上下方向に延在し、上側から順に連設された第１から第４案内筒部３１〜３４を有する。
第１案内筒部３１の下端には、径方向内側に突出して第２案内筒部３２の上端に接続されている第１環状接続部３５が設けられている。また、第１案内筒部３１の内周面には、図１及び図２に示すように、上下方向に延在する通気溝部３１Ａが第１案内筒部３１の全長にわたって形成されている。
第２案内筒部３２は、図１に示すように、内径及び外径が第１案内筒部３１よりも小径の円筒状をなしており、第２案内筒部３２の下部は、内径及び外径が下方に向かうにしたがって漸次縮径するテーパ状に形成されている。
【００１８】
第３案内筒部３３は、内径及び外径が第２案内筒部３２よりも小径の円筒状をなしており、第３案内筒部３３の下部は、内径及び外径が下方に向かうにしたがって漸次縮径するテーパ状に形成されている。第３案内筒部３３のうちテーパ状に形成された下部には、径方向内側に向けて円環状の弁座部３３Ａが突設されている。
第４案内筒部３４は、内径及び外径が第３案内筒部３３よりも小径の円筒状をなしており、第４案内筒部３４の外側には、下端開口部が容器本体２内の底部に位置するパイプ３６の上端部が嵌合されている。
【００１９】
また、第３及び第４案内筒部３３、３４内には、弁座部３３Ａに離間自在に配置された弁体３７が着座されている。
弁体３７は、第３案内筒部３３内に配設される有底円筒状の上側部分３８と、第４案内筒部３４内に配設される円柱状の下側部分３９と、を有する。下側部分３９の下端部には、弁座部３３Ａに対して下方から係合可能な円環状の規制突出部３９Ａが径方向外側に向けて突設されている。規制突出部３９Ａは、第４案内筒部３４の内周面に沿って上下方向に案内される。なお、規制突出部３９Ａは、第４案内筒部３４の内周面に対して液密には摺接していない。
【００２０】
充填筒１２は、上下方向に延在し、上側から順に連設された第１から第３収容筒部４１〜４３を有する。
第１収容筒部４１は、第１案内筒部３１の内周面に沿って上下方向に摺動し、第１収容筒部４１の下端には、第１案内筒部３１と同様に、径方向内側に突出して第２収容筒部４２の上端に接続される第２環状接続部４４が設けられている。第２環状接続部４４上には、付勢部材１４の下端が載置されている。
第１収容筒部４１の上端部は、図１及び図２に示すように、第１案内筒部３１よりも上方に向けて突出しており、第１収容筒部４１の上端には、径方向外側に向けて突出する押下突部４５が全周にわたって形成されている。押下突部４５は、平面視で円環状なす板状部材であり、充填筒１２を装着筒１１内に押し込む際に指などで押圧される。押下突部４５の内縁部には、平面視で円環状をなす収容凹部４５Ａが形成されている。
【００２１】
また、第１収容筒部４１の上端部には、プランジャ１３の後述する係合片部５４Ｂを径方向内側から外側に向けて挿通させる複数（本実施形態では４つ）の第１係合窓部４１Ａが形成されている。第１係合窓部４１Ａは、プランジャ１３の後述する突リブ部５４の周方向位置に合わせて周方向に等間隔をあけて形成されている。
さらに、第１収容筒部４１の上端部内には、規制筒部（規制部）４６が嵌合されている。
【００２２】
規制筒部４６は、第１収容筒部４１の上端部内に嵌合される円筒状の筒状部４７と、筒状部４７の上端から径方向外側に向けて全周にわたって突設された平面視で円環状のフランジ部４８と、を有する。
規制筒部４６の上端部には、筒状部４７の上端部からフランジ部４８の内周縁部にわたって、第１収容筒部４１と同様に、後述する係合片部５４Ｂを径方向内側から外側に向けて挿通させる複数（本実施形態では４つ）の第２係合窓部４６Ａが周方向に等間隔をあけて形成されている。また、筒状部４７には、プランジャ１３の後述する突リブ部５４の上下動を案内する複数（本実施形態では４つ）の案内溝部４７Ａが形成されている。案内溝部４７Ａは、第２係合窓部４６Ａと同様に、プランジャ１３の後述する突リブ部５４の周方向位置に合わせて周方向に等間隔をあけて形成されており、第２係合窓部４６Ａの下端縁から筒状部４７の下端縁まで延在する。
フランジ部４８は、押下突部４５の内縁部に形成された収容凹部４５Ａ内に収容されている。
【００２３】
第２収容筒部４２は、図１に示すように、第２案内筒部３２と同様に、内径及び外径が第１収容筒部４１よりも小径の円筒状をなしており、第２収容筒部４２の下部は、内径及び外径が下方に向かうにしたがって漸次縮径するテーパ状に形成されている。
第３収容筒部４３は、第３案内筒部３３の内側を上下方向に摺動可能となっている。第３収容筒部４３は、第３案内筒部３３と同様に、内径及び外径が第２収容筒部４２よりも小径の円筒状をなしており、第３収容筒部４３の下端開口は、充填筒１２の内部と容器本体２の内部とを連通可能な吸込口４３Ａとなっている。吸込口４３Ａは、第３案内筒部３３の上端よりも上方に位置しており、これにより、弁座部３３Ａは、吸込口４３Ａよりも下方に位置している。そのため、充填筒１２の下端部内の内側空間Ａと、充填筒１２の下端部の外周面と装着筒１１の内周面との間の外側空間Ｂと、は吸込口４３Ａを通して連通している。なお、上記外側空間Ｂは、第１案内筒部３１の通気溝部３１Ａを通して吐出器１の外部と連通している。
【００２４】
プランジャ１３は、充填筒１２の内側にその上端側から挿入されており、充填筒１２に対して相対的に上下方向に往復移動する。プランジャ１３は、上下方向に延在するプランジャ本体部５１と、プランジャ本体部５１の上端部に設けられた操作部５２と、プランジャ本体部５１の下端部に装着された摺動部５３と、を有する。
【００２５】
プランジャ本体部５１は、上下方向に延在する４つの板状の突リブ部５４を横断面十字状に配設した形状をなしており、充填筒１２の内側において上下方向に往復移動可能に挿入されている。
突リブ部５４の上端部には、径方向外側から径方向内側に向けて窪む凹部５４Ａと、凹部５４Ａの上端縁から下方に向けて延設された係合片部５４Ｂと、が形成されている。また、突リブ部５４の下端部には、径方向外側から径方向内側に向けて窪む切欠部５４Ｃが形成されている。
【００２６】
係合片部５４Ｂは、上端を支点として凹部５４Ａ内で径方向に弾性変形自在に形成されており、上下方向に間隔をあけて配設された２つの係合突出部５５Ａ、５５Ｂを有する。
上側に配設されている係合突出部５５Ａは、第１及び第２係合窓部４１Ａ、４６Ａを通って押下突部４５と係合している。
係合突出部５５Ａ、５５Ｂは、周方向から見てほぼ三角形状をなしており、それぞれの上端縁は、径方向に沿って延在し、それぞれの下端縁は、径方向内側に向かうにしたがって漸次下方に向かうように傾斜している。
また、プランジャ本体部５１の下端部には、摺動部５３が装着されている。
【００２７】
操作部５２は、プランジャ本体部５１の上端部から全周にわたって径方向外側に向けて突出しており、プランジャ１３を充填筒１２内に押し込む際に指などで押圧される。
摺動部５３は、有底円筒状をなしており、平面視で円形の底板部５６と、底板部５６の中央から上方に向けて延設された円筒状の嵌合筒部５７と、底板部５６の外縁部から上方に向けて延設された円筒状の摺接筒部５８と、を有する。
嵌合筒部５７の内側には、プランジャ本体部５１の下端部が嵌合されている。
摺接筒部５８は、上端部同士が連結されて互いの間に付勢部材１４を収容する二重筒状とされており、その上端部は、突リブ部５４における切欠部５４Ｃの上端縁部に当接している。また、摺接筒部５８の下端部の外周面には、充填筒１２の第１収容筒部４１の内周面と全周にわたって液密に当接する円筒状の当接筒部５８Ａが配設されている。当接筒部５８Ａの上端部は、上側に向かうにしたがって漸次拡径すると共に、当接筒部５８Ａの下端部は、下側に向かうにしたがって漸次拡径している。
【００２８】
付勢部材１４は、コイルバネなどで形成されており、プランジャ１３を充填筒１２に対して上方付勢する。
【００２９】
次に、以上のような構成の吐出器１を用いた内容物の吐出方法について説明する。
まず、充填筒１２の押下突部４５を装着筒１１に対して下方に向けて押し込む。押下突部４５を押し込むと、係合突出部５５Ａが第１及び第２係合窓部４１Ａ、４６Ａを通って押下突部４５と係合しているため、プランジャ１３は、充填筒１２と共に装着筒１１に対して下方に向けて押し込まれる。
【００３０】
押下突部４５を押し込んでいくと、係合突出部５５Ｂの下端縁は、第１案内筒部３１の上端に当接する。その後、係合突出部５５Ｂは、下端縁が径方向内側に向かうにしたがって漸次下方に向かうように傾斜しているので、押下突部４５の押し込みにしたがって径方向内側に変位する。同様に、係合突出部５５Ａは、第１案内筒部３１の上端に当接した後、押下突部４５の押し込みにしたがって第１案内筒部３１の上端によって径方向内側に変位する。これにより、係合片部５４Ｂは、径方向内側に弾性変形し、図３に示すように、係合突出部５５Ａと押下突部４５との係合が解除される。
【００３１】
このとき、第２収容筒部４２のうちテーパ状をなす下部は、第２案内筒部３２のうち同じくテーパ状をなす下部に当接し、第３収容筒部４３の外周面は、第３案内筒部３３の内周面に摺接する。そのため、上記内側空間Ａと上記外側空間Ｂとの吸込口４３Ａを通した連通が遮断される。なお、上記外側空間Ｂは、充填筒１２の押し下げに伴って収縮するが、第１案内筒部３１の通気溝部３１Ａを通して吐出器１の外部と連通しているので、充填筒１２の下降移動に対する空気抵抗が生じない。
【００３２】
係合突出部５５Ａ押下突部４５との係合が解除されると、図４に示すように、プランジャ１３を上方に向けて付勢する付勢部材１４の上方付勢力によって、プランジャ１３は、充填筒１２に対して上方に摺動して充填筒１２から引き上げられる。付勢部材１４によるプランジャ１３の上昇移動は、図５に示すように、当接筒部５８Ａの上端が規制筒部４６の下端に対して下方から係合するので、プランジャ１３の上昇端位置で規制される。
プランジャ１３を充填筒１２に対して引き上げると、充填筒１２内が負圧化し、弁体３７は、上方に移動して弁座部３３Ａから離間する。なお、弁体３７は、規制突出部３９Ａが第３案内筒部３３の第１係合突出部５５Ａに対して下方から係合することによってそれ以上の上昇移動が規制される。
【００３３】
容器本体２内の内容物は、規制突出部３９Ａの外周縁と第４案内筒部３４の外周面との間の間隙を通り、第３案内筒部３３の内部に流入し、吸込口４３Ａを通って充填筒１２の内部に吸い込まれる。このとき、第３収容筒部４３の外周面が第３案内筒部３３の内周面に摺接しているため、内容物は、上記外側空間Ｂに流入しない。
充填筒１２内に内容物を充填した後、押下突部４５を引き上げることによって充填筒１２をプランジャ１３と共に装着筒１１から引き抜く。なお、上述のように、内容物は、比較的粘性が高い液体であるため、充填筒１２をプランジャ１３と共に引き抜いても、吸込口４３Ａから漏れ出ない。充填筒１２を装着筒１１から引き抜いた後、弁体３７は、自重によって弁座部３３Ａに着座する。
充填筒１２をプランジャ１３と共に引き抜いた後、プランジャ１３を充填筒１２の内部に押し込むことにより、吸込口４３Ａから内容物を吐出させる。
【００３４】
プランジャ１３を充填筒１２の内部に押し込んでいくと、係合突出部５５Ｂは、下端縁が第１収容筒部４１の押下突部４５の内周縁に当接して案内されるため、径方向内側に向けて変位する。同様に、係合突出部５５Ａは、プランジャ１３の押し込みにしたがって径方向内側に向けて変位する。これにより、係合片部５４Ｂは、径方向内側に弾性変形し、係合突出部５５Ａ、５５Ｂは、押下突部４５の内周縁を乗り越える。係合突出部５５Ａ、５５Ｂが押下突部４５を乗り越えると、係合片部５４Ｂが径方向外側に復元変形し、係合突出部５５Ａ、５５Ｂは、図６に示すように、第１及び第２係合窓部４１Ａ、４６Ａに挿通され、係合突出部５５Ａは、押下突部４５に係合する。
【００３５】
このとき、突リブ部５４が規制筒部４６の案内溝部４７Ａによって案内されており、プランジャ１３が充填筒１２に対して周方向で位置決めされているので、プランジャ１３を押し込む際にプランジャ１３が充填筒１２に対して回転することが抑制される。そのため、係合片部５４Ｂは、第１及び第２係合窓部４１Ａ、４６Ａに向けて安定して案内される。
【００３６】
プランジャ１３を充填筒１２に係合させた後、充填筒１２を装着筒１１内に装着する。充填筒１２を装着筒１１内に嵌合する際、内側空間Ａが充填筒１２を装着筒１１に対して押し込むにしたがって収縮する。しかし、装着筒１１の内部のうち弁体３７よりも上方であって充填筒１２の下端部が位置する空間の内圧が過度に高くならない。特に、上記内側空間Ａと上記外側空間Ｂと吸込口４３Ａを通して連通しているので、充填筒１２の下降移動に対する空気抵抗が生じない。このようにして、図１に示すように、プランジャ１３及び充填筒１２を装着筒１１内に装着する。
以上のようにして、吐出器１内の内容液を吐出する。
【００３７】
以上のような構成の吐出器１によれば、充填筒１２を装着筒１１内に押し込むだけで、プランジャ１３も押し込まれて係合片部５４Ｂと押下突部４５との係合が解除され、そして、プランジャ１３が充填筒１２に対して上昇して充填筒１２の内部に内容物が吸い込まれるので、内容物を吸い込むためにプランジャ１３を手動で上下動させる必要がなくなり、吐出器１の操作性が向上する。
また、付勢部材１４によるプランジャ１３の上昇が当接筒部５８Ａの上端と規制筒部４６の下端との係合によって規制され、充填筒１２に対するプランジャ１３の上昇移動量が一定となるように制御されるので、充填筒１２内に定量の内容物を精度良く充填することができる。
さらに、上記内側空間Ａと上記外側空間Ｂとが吸込口４３Ａを通して連通しているので、充填筒１２をプランジャ１３と共に装着筒１１内に嵌合して装着するときに、装着筒１１の内部のうち弁体３７よりも上方であって充填筒１２の下端部が位置する空間の内圧が過度に高くなることを抑制できる。特に、外側空間Ｂが第１案内筒部３１の通気溝部３１Ａを通して吐出器１の外部と連通しているので、充填筒１２の押し下げに対する空気抵抗が発生することを防止できる。このため、充填筒１２の装着筒１１への装着が容易になる。
そして、押下突部４５を下方に押し下げることで充填筒１２及びプランジャ１３を装着筒１１に対して押し下げられるので、吐出器１の操作性がさらに向上する。
【００３８】
なお、本発明は上記実施形態に限定されるものではなく、本発明の趣旨を逸脱しない範囲において種々の変更を加えることができる。
例えば、規制部は、第１収容筒部内に嵌合される規制筒部によって構成しているが、上昇端位置に到達しているプランジャのそれ以上の上昇を規制できれば、例えば充填筒と一体に構成されるなど、他の構成であってもよい。また、規制部を設けなくてもよい。
弁座が装着筒に形成されると共に弁体が装着筒内に配設されているが、弁座及び弁体を設けなくてもよい。
通気溝部は、第１案内筒部の内周面に形成されているが、第１収容筒部の外周面に形成されていてもよく、通気溝部が形成されていなくてもよい。通気溝部が形成されていなくても、第２及び第３収容筒部の内側の空間がこれら第２及び第３収容筒部の外周面と第１案内筒部の下端部及び第２案内筒部の外周面との間の空間と吸込口を通して連通することで、充填筒を装着筒に対して装着する際に第２及び第３収容筒部の内側の空間の内圧が過度に高まることを防止できる。また、第２及び第３収容筒部の内側の空間は、これら第２及び第３収容筒部の外周面と第１案内筒部の下端部及び第２案内筒部の外周面との間の空間と吸込口を通しているが、例えば第３収容筒部の下端部が第３案内筒部の内周面に当接する構成など、吸込口を通して連通しない構成であってもよい。
【産業上の利用可能性】
【００３９】
この発明によれば、操作性を向上させた吐出器に関して、産業上の利用可能性が認められる。
【符号の説明】
【００４０】
１  吐出器、２  容器本体、３  口部、１１  装着筒、１２  充填筒、１３  プランジャ、１４  付勢部材、３３Ａ  弁座部、３７  弁体、４１Ａ  第１係合窓部（係合窓部）、４３Ａ  吸込口、４５  押下突部、４６  規制筒部（規制部）、４６Ａ  第２係合窓部（係合窓部）、５４Ｂ  係合片部、５５Ａ、５５Ｂ  係合突出部
【図１】
0006006985.tif 000002
【図２】
0006006985.tif 000003
【図３】
0006006985.tif 000004
【図４】
0006006985.tif 000005
【図５】
0006006985.tif 000006
【図６】
0006006985.tif 000007